(57)【特許請求の範囲】
【請求項１】
携帯用電子機器の充電用ポートが接続される給電用プラグ、および電源供給を受ける受電用接触端子を備えた充電アダプタと、
前記充電アダプタを保持し、当該充電アダプタを保持したときに前記受電用接触端子と接触して電源を供給する給電用接触端子を備えた充電台と、
からなり、
前記充電アダプタは、前記給電用プラグを介して前記携帯用電子機器と通信を行うとともに他の電子機器と無線通信を行う無線通信部を内蔵し、
当該充電アダプタの筐体は、下部側の一部が前面方向に張り出したＬ字型形状からなり、当該張り出した部分の上面と前記前面とで前記携帯用電子機器を保持することにより、前記携帯用電子機器を固定する保持手段を備えたことを特徴とする電子機器システム。
【請求項２】
前記充電アダプタの筐体側面のいずれか１箇所に前記受電用接触端子のプラス側受電用接触端子を設け、前記プラス側受電用接触端子と筐体の高さ方向で異なる位置に前記受電用接触端子のマイナス側受電用接触端子を設け、
前記充電台は、前記充電アダプタの筐体が収まる中空構造の筐体からなり、当該中空構造は、上面方向から見て円形を成し、内面に前記充電アダプタを収納したときに、前記プラス側受電用接触端子が接触するプラス側給電用接触端子と、前記マイナス側受電用接触端子が接触するマイナス側給電用接触端子と、を設けたことを特徴とする請求項１に記載の電子機器システム。
【請求項３】
前記充電アダプタは、前記携帯用電子機器から受信した音声データに基づいて音声を放音するスピーカと、
前記無線通信部が他の電子機器と通信を確立した場合、前記給電プラグを介して携帯用電子機器から受信した音声データを他の電子機器に送信し、前記スピーカからの放音を停止するように制御する制御部と、を備えた請求項１、または請求項２に記載の電子機器システム。
【請求項４】
前記充電アダプタは、充電池を内蔵し、
前記制御部は、前記充電池の充電量が所定容量以下となった場合に、前記音声データの供給が途切れている間に前記充電池の電源供給を遮断し、前記給電用プラグを介して携帯用電子機器から電源供給を受けるように制御することを特徴とする請求項１、または請求項２に記載の電子機器システム。
【発明の詳細な説明】
【技術分野】
【０００１】
この発明は、携帯用の電子機器、およびこの電子機器を載せ置きする載置台を備えた電子機器システムに関する。
【背景技術】
【０００２】
デジタルオーディオプレーヤ（以下、ＤＡＰと言う。）やデジタルカメラ等の携帯用電子機器は、充電用の雌端子（ポート）を備えている場合が多い。このような電子機器に充電を行う場合、充電ケーブルの雄端子（プラグ）を上記ポートに接続し、この充電ケーブルを介して宅内コンセントと接続する場合が多い。また、ＤＡＰとパーソナルコンピュータ（以下、ＰＣと言う。）を接続してデータ送受信を行う場合も、ＵＳＢケーブル等のプラグを上記ポートに接続し、このＵＳＢケーブルを介してＰＣと接続する場合が多い。この場合、ＤＡＰ側ポートとケーブル側プラグの抜き差し、ＰＣ側ポートとケーブル側プラグの抜き差し、等の操作が必要となり、煩雑である。
【０００３】
そこで、ＤＡＰを載せ置きするクレードル（載置台）を設け、クレードルをＰＣや宅内コンセントにケーブルで接続しておき、ＤＡＰ側ポートとクレードル側プラグを接続するシステムが種々提案されている（例えば特許文献１を参照）。このようなシステムの場合、ＤＡＰ側ポートとクレードル側プラグを接続するだけで充電やＰＣとの接続ができ、操作が簡略となる。
【特許文献１】特開２００５−３３３８７号公報
【発明の開示】
【発明が解決しようとする課題】
【０００４】
しかし、特許文献１のようなシステムにおいてもＤＡＰ側ポートとクレードル側プラグを抜き差しする、という操作が必要であり、単にＤＡＰを載せるだけのような簡略な操作で充電ができるものではなかった。
【０００５】
また、特許文献１のようなシステムでは、ＤＡＰをクレードルに載置しなければＰＣに接続することができず、宅内の他の場所に持ち運びをしながらＰＣに接続することができなかった。
【０００６】
そこで、この発明は、充電用ポートにケーブル（プラグ）を接続して充電を行う携帯用電子機器であっても、ケーブルを脱着する操作をする必要がない載置台を備えた電子機器システムを提供することを目的とする。
【課題を解決するための手段】
【０００７】
この発明の電子機器システムは、携帯用電子機器が接続される充電アダプタと、充電アダプタを保持する充電台（載置台）を備えている。充電アダプタは、携帯用電子機器のポートを接続する給電用プラグと受電用接触端子を備えている。充電台は、充電アダプタを保持したときに受電用接触端子と接触して電源を供給する給電用接触端子を備えている。
【０００８】
このように、携帯用電子機器とクレードルとの間に、給電用プラグと受電用接触端子を備えた充電アダプタを設け、電子機器をこの充電アダプタに接続しておくことで、充電用ポートから充電を行う携帯用電子機器であってもクレードルに載せ置きするだけで充電をすることができる。
【０００９】
また、上記発明において、充電アダプタは、給電用プラグを介して携帯用電子機器と通信を行うとともに他の電子機器と無線通信を行う無線通信部２１７を内蔵し、前記携帯用電子機器と他の電子機器との通信を仲介することが望ましい。
【００１０】
この場合、携帯用電子機器は、充電アダプタを接続しておくだけで、他の電子機器（例えばＰＣ）と通信を行うことができる。例えば、携帯用電子機器がＤＡＰであれば、クレードルに載せなくとも無線でＰＣにデータを転送することができ、どの様な場所でもＰＣと通信を行うことができる。
【００１１】
また、上記発明において、充電アダプタの筐体側面のいずれか１箇所にプラス側受電用接触端子を設け、プラス側受電用接触端子と筐体の高さ方向で異なる位置にマイナス側受電用接触端子を設けることが望ましい。さらに、充電台は、充電アダプタの筐体が収まる中空構造の筐体からなり、当該中空部分は、上面方向から見て円形を成し、充電アダプタを収納したときに、プラス側受電用接触端子が接触するプラス側給電用接触端子と、マイナス側受電用接触端子が接触するマイナス側給電用接触端子と、を設けることが望ましい。
【００１２】
このようにクレードルを中空構造の筐体とし、プラス側端子とマイナス側端子を設けることで、簡略な操作でクレードルに充電アダプタと携帯用電子機器を載せ置きすることができる。また、プラス側端子とマイナス側端子の高さが異なるような接触端子とすることで、どのような載せ方をしてもプラス側端子とマイナス側端子が接触することなく、ショートすることがない。
【００１３】
また、上記発明において、充電アダプタは、前記携帯用電子機器から受信した音声データに基づいて音声を放音するスピーカを備え、前記無線通信部は、他の電子機器と通信を確立した場合、前記給電プラグを介して携帯用電子機器から受信した音声データを他の電子機器に送信し、前記スピーカからの放音を停止するように制御する制御部を備えていることが望ましい。
【００１４】
この場合、充電アダプタにＤＡＰが接続されると、この充電アダプタから楽音を発することができる。また、ＰＣ等の他の電子機器に接続できた場合、充電アダプタのスピーカから放音することを停止し、当該他の電子機器から楽音を鳴らすことができる。通常時は充電アダプタの付属スピーカで楽音を聞くことができ、他の電子機器との接続が確立された場合には他の電子機器を用いてより高音質で楽音を聞くことができる。
【００１５】
また、上記発明において、充電アダプタは、充電池を内蔵し、前記充電池の充電量が所定容量以下となった場合に、前記音声データの供給が途切れている間に前記充電池の電源供給を遮断し、前記給電用プラグを介して携帯用電子機器から電源供給を受けることが望ましい。
【００１６】
この場合、充電アダプタを駆動するための内蔵充電池が切れる間際に、音声データの供給が途切れている間に携帯用電子機器から電源供給を受けるように切り替えることで、切り替え時のノイズ発生を防止することができる。なお、音声データの供給が途切れる場合とは、ＤＡＰの電源がオフされたとき、再生曲が変更されたとき（曲間）、等である。
【発明の効果】
【００１７】
この発明によれば、充電用ポートにケーブル（プラグ）を接続して充電を行う携帯用電子機器であっても、ケーブルを脱着する操作を必要とせず、単に充電台に載せ置きするだけで充電をすることができる。
【発明を実施するための最良の形態】
【００１８】
以下、本発明の実施形態に係る電子機器システムについて説明する。図１は、本実施形態に係る電子機器システムの外観を示す図である。
【００１９】
本実施形態に係る電子機器システム１は、携帯用電子機器であるＤＡＰ１１と、ＤＡＰ１１に接続される充電アダプタ２１と、充電アダプタ２１を保持する充電台（クレードル）３１と、からなる。
【００２０】
本実施形態の電子機器システム１では、充電アダプタ２１がＤＡＰ１１に固定接続されるとともに、充電台３１に載せられたときにＤＡＰ１１に電源供給を行うことで充電を行うものである。また、充電アダプタ２１は、無線通信部を内蔵しており、ＤＡＰ１１から受信した音声データを他の電子機器（ＰＣ等）に転送してＤＡＰとＰＣの通信を仲介するものである。そのため、ＤＡＰ１１にケーブルを抜き差しする操作をしなくとも、充電アダプタ２１を接続しておくだけで、ＰＣ等の電子機器にデータを送信したり、充電を行うことができるようになっている。
【００２１】
ＤＡＰ１１は、充電用ポート１１２を備えており、この充電用ポート１１２には充電アダプタ２１の給電用プラグ２１２が接続される。充電用ポート１１２、給電用プラグ２１２は、例えばＵＳＢ規格に準ずるものであり、電力供給に加え、データ送受信を行うインタフェースとなる。
【００２２】
充電アダプタ２１は、充電台３１から電源供給を受ける受電用接触端子２１１を備えている。充電アダプタ２１を充電台３１に載せたとき、この受電用接触端子２１１が充電台３１の給電用接触端子３１１に接触し、充電アダプタ２１およびＤＡＰ１１に電力供給が行われる。
【００２３】
充電アダプタ２１は、高さ方向に長い薄型の略直方体形状の筐体からなり、筐体下部側の一部が前面方向に張り出したＬ字型形状となっている。この前面方向に張り出した部分（受け部）２３の上面側に給電用プラグ２１２が設けられ、下面側に受電用接触端子２１１が設けられている。この受け部２３の上面と、筐体の前面部２２でＤＡＰ１１を保持するようになっている。
【００２４】
また、筐体前面には、桶形状に筐体をくり抜いたくり抜き部２４が設けられており、この桶形状のくり抜き部２４に円盤部２５がらせん挿入（スクリュー）されるようになっている。円盤部２５をらせん挿入することで筐体の前面部２２の高さ（当該円盤部２５の前面方向への張り出し具合）を自由に設定することができるようになっている。これにより、ＤＡＰ１１を強固に保持することができる。
【００２５】
充電台３１は、高さ方向に長い直方体形状の背面部３３と２つの側面部３４、および土台部３２を有し、土台部３２の上面のうち、背面部３３と側面部３４に囲われる箇所に給電用接触端子３１１が設けられている。上記直方体形状の充電アダプタ２１の筐体をこの土台部３２に載せると、受電用接触端子２１１と給電用接触端子３１１が接触し、背面部３３と側面部３４で充電アダプタ２１の筐体を保持することができるようになっている。なお、充電アダプタ２１の筐体側面には、突起部２６が設けられ、充電台３１の側面部の内面側には突起受け部３６が設けられており、この突起受け部３６に充電アダプタの突起部２６が挿入されることで充電アダプタ２１を強固に保持することができるようになっている。無論、充電アダプタ２１は、上下方向には容易に移動させることが可能である。
【００２６】
また、充電台３１には、背面側に電源ケーブル３１２が接続されており、この電源ケーブル３１２を宅内コンセントに接続することで、電力供給を受けることができる。宅内コンセントから受けた電力は、上記接触端子を介して充電アダプタ２１に供給され、充電アダプタ２１からＤＡＰ１１に供給されるようになっている。
【００２７】
これらの接触端子は、単に接触するだけ構造となっており、充電アダプタ２１を接続したＤＡＰ１１を、充電台３１に載せるだけで容易に充電することができるようになっており、取り外しも容易である。なお、充電アダプタ２１と充電台３１の接触態様は、マグネット等、他の方式を用いることも可能である。
【００２８】
次に、図２は、充電アダプタ２１の内部構成を示すブロック図である。充電アダプタ２１は、上記給電用プラグ２１２および受電用接触端子２１１に加え、制御部２１３、切替部２１４、サウンドユニット２１５、スピーカ２１６、無線通信部２１７、および充電池２１８を備えている。
【００２９】
制御部２１３は、給電用プラグ２１２、切替部２１４、無線通信部２１７、および充電池２１８に接続されている。また、切替部２１４には、サウンドユニット２１５、無線通信部２１７が接続されており、サウンドユニット２１５にスピーカ２１６が接続されている。
【００３０】
給電用プラグ２１２と受電用接触端子２１１は、電源ラインを介して接続されており、受電用接触端子２１１から供給された電力が給電用プラグ２１２に供給される。
【００３１】
制御部２１３は、給電用プラグ２１２を介してＤＡＰ１１とデータ送受信を行う。例えば、ＤＡＰ１１から音声データを受信し、切替部２１４に供給する。切替部２１４に供給された音声データは、サウンドユニット２１５または無線通信部２１７に供給される。制御部２１３は、切替部２１４の切り替え態様を制御する。例えば、充電アダプタ２１にユーザ操作用の操作部（スイッチ等）を設けた場合、ユーザがスピーカ２１６から音声を放音するように設定指示すると、制御部２１３は切替部２１４に音声データをサウンドユニット２１５に供給するよう指示する。また、後述のように、通常時は音声データをサウンドユニット２１５に供給し、無線通信部２１７が他の電子機器と通信を確立した場合に音声データを他の電子機器に供給するように構成することも可能である。
【００３２】
サウンドユニット２１５に供給された音声データは、デコード処理、アナログ変換がされ、増幅された音声信号としてスピーカ２１６に供給され、音声として放音される。無線通信部２１７に供給された音声データは、当該無線通信部２１７により他の電子機器（ＰＣ等）に供給される。ＰＣ等に供給された音声データは、その電子機器において放音される。
【００３３】
無線通信部２１７は、Ｂｌｕｅｔｏｏｔｈ、Ｗｉ−Ｆｉ（登録商標）、ＦＭトランスミッタ等の通信機能を有するモジュールであり、上記のようにＤＡＰ１１から制御部２１３および切替部２１４を介して受信したデータを他の電子機器に送信する。また、他の電子機器から受信したデータを、切替部２１４および制御部２１３を介してＤＡＰ１１に送信する。
【００３４】
無線通信部２１７は、上記の通信機能を用いて他の電子機器と通信を確立した場合、制御部２１３にその旨を示す情報を送信する。また、他の電子機器と通信できない場合（通信可能エリアに他の電子機器が存在しない、ネゴシエーションできない、等）、制御部２１３にその旨を示す情報を送信する。制御部２１３は、他の電子機器と通信を確立した旨を示す情報を受信した場合、音声データを無線通信部２１７に送信するように切替部２１４に指示する。これによりスピーカ２１６の放音を停止する。また、他の電子機器と通信を確立できない旨を示す情報を受信した場合、音声データをサウンドユニット２１５に送信するように切替部２１４に指示する。この場合、通常時は充電アダプタの付属スピーカで楽音を聞くことができ、他の電子機器との接続が確立された場合には他の電子機器を用いてより高音質で楽音を聞くことができる。よって、ユーザはどのような場所でも楽音を聞くことができる。
【００３５】
制御部２１３は、上記のような動作を行うため、充電池２１８またはＤＡＰ１１から電力供給を受ける。ＤＡＰ１１から電力供給を受ける場合、充電用ポート１１２および給電用プラグ２１２を介して電力供給を受ける（３．５Ｖライン）。
【００３６】
ここで、制御部２１３は、充電池２１８の容量に応じて、充電池２１８からの電力供給とＤＡＰ１１からの電力供給を切り替える。すなわち、制御部２１３は、定常時は充電池２１８から電力供給を受けるように設定するとともに充電池２１８の充電量を監視しており、この充電量が所定容量以下となった場合にＤＡＰ１１から電力供給を受けるように設定する。
【００３７】
さらに、制御部２１３は、充電池２１８が所定容量以下となった場合、音声データを受信している途中であるかを判断し、次に音声データが途切れるまで切り替えを待機する。音声データが途切れた場合に電源供給を切り替える。
【００３８】
このように、充電アダプタ２１を駆動するための内蔵充電池２１８が切れる間際に、音声データの供給が途切れている間にＤＡＰ１１から電力供給を受けるように切り替えることで、切り替え時のノイズ発生を防止することができる。なお、音声データの供給が途切れる場合とは、ＤＡＰ１１の電源がオフされたとき、再生曲が変更されたとき（曲間）、等である。
【００３９】
次に、図３は、電子機器システムの他の例を示す外観図である。図３に示す電子機器システム２は、ＤＡＰ１１と、ＤＡＰ１１に接続される充電アダプタ４１と、充電アダプタ４１を保持する充電台５１と、からなる。
【００４０】
なお、図３に示す電子機器システムにおいて、充電アダプタ４１の内部構成は上記充電アダプタ２１と同様であり、同一の機能を有する。そのため、充電アダプタ４１の内部構成のブロック図を省略し、その説明を省略する。
【００４１】
充電アダプタ４１は、上記充電アダプタ２１と同様、高さ方向に長い薄型の略直方体形状の筐体からなり、筐体下部側の一部が前面方向に張り出したＬ字型形状となっている。この前面方向に張り出した部分（受け部）４３の上面側に給電用プラグ４１２が設けられている。また、充電アダプタ４１では、この受け部４３の側面側の２箇所にプラス側の受電用接触端子４１１およびマイナス側の受電用接触端子４１３が設けられている。この受け部４３の上面と、筐体の前面部４２でＤＡＰ１１を保持するようになっている。なお、同図では、左側面（紙面右側）の１箇所にマイナス側の受電用接触端子４１３が設けられ、右側面の１箇所（紙面左側で図示していない箇所）にプラス側の受電用接触端子４１１が設けられている。
【００４２】
また、充電アダプタ２１と同様、筐体の前面部４２には、桶形状にくり抜いたくり抜き部４４が設けられており、この桶形状のくり抜き部４４に円盤部４５がらせん挿入（スクリュー）されるようになっている。円盤部４５をらせん挿入することで筐体前面の高さ（当該円盤部４５の前面方向への張り出し具合）を自由に設定することができるようになっている。これにより、ＤＡＰ１１を強固に保持することができる。
【００４３】
充電台５１は、充電アダプタ４１の筐体が収まる中空構造の円環形状の筐体からなる。円環形状の筐体の外側面には、延長部５１２が設けられており、この延長部５１２に電源ケーブル５１５が接続されている。この電源ケーブル５１５を宅内コンセントに接続することで、電力供給を受けることができる。宅内コンセントから受けた電力は、上記接触端子を介して充電アダプタ４１に供給され、充電アダプタ４１からＤＡＰ１１に供給されるようになっている。
【００４４】
充電台５１は、円環部分の内側面の１箇所にプラス側の給電用接触端子５１１が設けられ、その反対側の内側面にマイナス側の給電用接触端子５１３が設けられている。これらの給電用接触端子が設けられている箇所は、内側面が平面上にえぐられており、この平面部分に上記直方体形状の充電アダプタ４１がはめこまれる。そのため、充電アダプタ４１を強固に保持するとともに、受電用接触端子４１１と給電用接触端子５１１が接触し、受電用接触端子４１３と給電用接触端子５１３が接触するようになっている。なお、充電アダプタ４１は、上下方向には容易に移動させることが可能である。
【００４５】
次に、図４は、電子機器システムのさらに他の例を示す外観図である。図４に示す電子機器システム３は、ＤＡＰ１１と、ＤＡＰ１１に接続される充電アダプタ６１と、充電アダプタ６１を保持する充電台７１と、からなる。
【００４６】
なお、図４に示す電子機器システム３において、充電アダプタ６１の内部構成は上記充電アダプタ２１、充電アダプタ４１と同様であり、同一の機能を有する。そのため、充電アダプタ６１の内部構成のブロック図を省略し、その説明を省略する。
【００４７】
充電アダプタ６１は、幅方向に長い薄型の略直方体形状の筐体からなり、上面に給電用プラグ（不図示）が設けられている。同図に示す電子機器システム３では、ＤＡＰ側の受電用ポートと充電アダプタ側の給電用プラグとの接続によりＤＡＰと充電アダプタが保持されるようになっている。そのため、筐体がコンパクトで持ち運びし易くなっている。
【００４８】
また、充電アダプタ６１には、側面のうちいずれか１箇所にプラス側の受電用接触端子６１１が設けられており、反対側の側面にマイナス側の受電用接触端子６１３が設けられている。また、これらの受電用接触端子は、高さ方向で異なる位置に設けられている。なお、プラス側の受電用接触端子６１１とマイナス側の受電用接触端子６１３は、筐体の高さ方向で異なる位置に設けられていればよく、側面の同じ側に設けられていてもよい。
【００４９】
充電台７１は、充電アダプタ６１の筐体が収まる中空構造の円環形状の筐体からなる。円環形状の筐体の外側面には、延長部７１２が設けられており、この延長部７１２に電源ケーブル７１５が接続されている。この電源ケーブル７１５を宅内コンセントに接続することで、電力供給を受けることができる。宅内コンセントから受けた電力は、上記接触端子を介して充電アダプタ６１に供給され、充電アダプタ６１からＤＡＰ１１に供給されるようになっている。
【００５０】
充電台７１は、円環部分の内側面の１箇所にプラス側の給電用接触端子７１１が設けられ、その反対側の内側面にマイナス側の給電用接触端子７１３が設けられている。これらの給電用接触端子は、円環の内側面に沿って設けられている。また、プラス側の給電用接触端子７１１と、マイナス側の給電用接触端子７１３とは、高さ方向で異なる位置に設けられている。同図の例では、充電アダプタ６１のプラス側の受電用接触端子６１１が高さ方向で上側に設けられ、マイナス側の受電用接触端子６１３が高さ方向の下側に設けられている。そのため、充電台７１のプラス側の給電用接触端子７１１も高さ方向で上側に設けられ、マイナス側の給電用接触端子７１３も高さ方向で下側に設けられている。
【００５１】
そのため、充電アダプタ６１を保持するとともに、受電用接触端子と給電用接触端子が接触するようになっている。また、プラス側の端子が上側、マイナス側の端子が下側となり、高さが異なるような接触端子となっていることで、プラス側受電用接触端子６１１とマイナス側給電用接触端子７１３が接触することなく、同様にマイナス側受電用接触端子６１３とプラス側給電用接触端子７１１が接触することもない。そのため、充電アダプタ６１をどのような載せ方をしてもショートすることがない。なお、プラス側受電用接触端子６１１とマイナス側受電用接触端子６１３が側面の同じ側に設けられている場合、プラス側給電用接触端子７１１とマイナス側給電用接触端子７１３も内側面の同じ側に設けられているものとする。
【００５２】
以上のように、本実施形態の電子機器システムでは、ＤＡＰと充電台との間に、給電用プラグと受電用接触端子を備えた充電アダプタを設け、ＤＡＰをこの充電アダプタに接続しておくことで、単に載せ置きするだけの操作で充電をすることができる。また、充電アダプタに無線通信機能を内蔵しておくことで、ＤＡＰを充電台に載せなくともＰＣと通信を行うことができる。
【００５３】
なお、充電アダプタと充電台の形状は上記例に限るものではない。例えば、充電アダプタは、ＤＡＰの全体を覆うようなケース状の筐体とすることも可能である。また、本実施形態では、充電アダプタにスピーカ２１６を内蔵する例を示したが、マイクや録音部等、その他の構成、機能を内蔵していてもよい。マイクを内蔵する場合、収音した音声をＤＡＰに送信し、ＤＡＰを録音機として用いることが可能である。
【００５４】
さらに、本実施形態では、電子機器としてＤＡＰの例を示したが、無論デジタルカメラ等、他の電子機器であっても本発明を適用することが可能である。
【図面の簡単な説明】
【００５５】
【図１】電子機器システムの外観を示す図である。
【図２】充電アダプタの内部構成を示すブロック図である。
【図３】電子機器システムの他の例を示す外観図である。
【図４】電子機器システムのさらに他の例を示す外観図である。
【符号の説明】
【００５６】
１−電子機器システム
１１−ＤＡＰ
２１−充電アダプタ
３１−充電台
【図１】
0004798162.tif 000002
【図２】
0004798162.tif 000003
【図３】
0004798162.tif 000004
【図４】
0004798162.tif 000005